(57)【要約】【課題】ユーザーが特に意識することなく有料ダイヤルへの発呼を制限することができる電話端末を提供すること。【解決手段】携帯電話機は常時、アンテナ１０１を通して基地局とコントロールチャネルを介して交信し自分の居場所をシステムに知らせている。呼制御部１１１はシンセサイザ、モデム、フレームプロセッサ、コーデック、メモリ１１３の制御を行い、キー操作部１１７からの信号により端末全体を制御する。着信音はアンプを介しスピーカ１０９から出力される。メモリ１１３には端末の各機能を実行するためのプログラムのほか、着信履歴制限機能を実行するプログラムのための記憶エリアが設けられている。【選択図】      図１
2004336311.tif 000002
【特許請求の範囲】
【請求項１】
着信報知時間を測定する手段と、
前記着信報知時間と設定時間とを比較する手段と、
発信者からの呼出しによる前記着信報知時間が前記設定時間未満である場合、前記発信者の番号を電話帳及び／又は発信履歴から検索する手段と、
前記発信者の番号が電話帳及び／又は発信履歴から検索された場合にのみ、前記発信者の番号を着信履歴として記憶する手段と
を具備したことを特徴とする電話端末。
【請求項２】
着信報知回数をカウントする手段と、
前記着信報知回数と設定回数とを比較する手段と、
発信者からの呼出しによる前記着信報知回数が前記設定回数未満である場合、前記発信者の番号を電話帳及び／又は発信履歴から検索する手段と、
前記発信者の番号が電話帳及び／又は発信履歴から検索された場合にのみ、前記発信者の番号を着信履歴として記憶する手段と
を具備したことを特徴とする電話端末。
【発明の詳細な説明】
【０００１】
【発明の属する技術分野】
本発明は、着信履歴を使って発呼できる電話端末に関するものである。
【０００２】
【従来の技術】
最近、いわゆる「ワン切り詐欺」という犯罪が増加している。これは、着信履歴機能を利用しユーザーの心理をついたもので、ごく短い発呼を無差別に行い、ユーザーの着信履歴に電話番号を残しておく。すると、ユーザーは誰から電話がかかったのか気になるので、着信履歴に残った電話番号に対して電話をかけ直すと、有料ダイヤルにつながり、法外な料金を請求されるというものである。
新しいタイプの犯罪のため、特にこれに対応する機能はみられないが、一般的に、着信拒否電話番号を登録し、迷惑電話などを着信しないといった手段がある。
【０００３】
しかし、特定の番号しか拒否できないため、この手の犯罪に対しては有効性が大きく制限されると予想される。これに対し、特許文献１にて「着信報知時間が設定時間以内である場合には、その発信者番号を特別な着信として記憶し、この発信者番号への発呼操作が行われた場合には、ユーザに対して警告メッセージを通知する」旨の発明が記載されている。
特許文献１に記載の発明を用いても、上記のような犯罪には対処できるが、当該発信者番号を特別な着信として記憶せねばならず、メモリ領域を節約するためには、さらなる工夫が必要である。
【０００４】
【特許文献１】
特願２００１−３８１００９
【０００５】
【発明が解決しようとする課題】
本発明は、上記従来技術の課題に鑑みて、ユーザーが特に意識することなく有料ダイヤルへの発呼を制限できる電話端末を提供することを目的とする。
さらに、本発明は、呼出回数（時間）の最低値をユーザ側で任意に設定できるようにし、今後この手の犯罪が多様化した場合にも対応できる電話端末を提供することを目的とする。
【０００６】
【課題を解決するための手段】
上記課題を解決するため、本願第１の発明である電話端末は、着信報知時間を測定する手段と、着信報知時間と設定時間とを比較する手段と、発信者からの呼出しによる着信報知時間が設定時間未満である場合、発信者の番号を電話帳及び／又は発信履歴から検索する手段と、発信者の番号が電話帳及び／又は発信履歴から検索された場合にのみ、発信者の番号を着信履歴として記憶する手段とを具備したことを特徴とする。
【０００７】
本願第２の発明である電話端末は、着信報知回数をカウントする手段と、着信報知回数と設定回数とを比較する手段と、発信者からの呼出しによる着信報知回数が設定回数未満である場合、発信者の番号を電話帳及び／又は発信履歴から検索する手段と、発信者の番号が電話帳及び／又は発信履歴から検索された場合にのみ、発信者の番号を着信履歴として記憶する手段とを具備したことを特徴とする。
【０００８】
【発明の実施の形態】
次に添付図面を参照して、本発明による電話端末を携帯電話機に適用したときの実施の形態について詳細に説明する。図１は本発明の実施の形態である携帯電話機の機能ブロック図、図２乃至図５は本発明の実施の形態である携帯電話機の着呼時の処理フローチャートである。
【０００９】
図１に図示するように、本発明の実施の形態である携帯電話機はアンテナ１０１、無線部１０３、制御部１０５、マイク１０７、スピーカ１０９、呼制御部１１１、メモリ１１３、ＬＣＤ１１５、及びキー１１７を具備する。
アンテナ１０１は基地局と交信するアンテナである。無線部１０３はアンテナ１０１の送／受切替用スイッチを有し、アンテナ１０１で受信された受信信号は、スイッチやフィルタ（いずれも図示せず）を通り制御部１０５で増幅され、周波数変換される。増幅された受信信号は復調され、復調された受信信号はフレーム単位に処理され、コーデック（図示せず）でデコードされてスピーカ１０９から音声として出力される。マイク１０７から出力された音声信号はコーデックでコード化されフレーム単位に処理され、変調される。変調された送信信号は制御部１０５で増幅され、出力周波数に変換後、増幅されて無線部１０３及びアンテナ１０１を介して出力される。
【００１０】
携帯電話機は常時、アンテナ１０１を通して基地局とコントロールチャネルを介して交信し自分の居場所（サービスエリア）をシステムに知らせている。制御部１０５はシンセサイザ、モデム、フレームプロセッサ、コーデック（いずれも図示せず）、メモリ１１３の制御を行い、キー１１７からの信号により端末全体を制御する。着信音はアンプを介しスピーカ１０９から出力される。メモリ１１３には端末の各機能を実行するためのプログラムのほか、本発明の特徴である着信履歴制限機能を実行するプログラムのための記憶エリアが設けられている。
【００１１】
＜第１の実施の形態＞
図２は本発明の第１の実施の形態である携帯電話機の着呼時の処理フローチャートである。同図に示すように、他者からの着信があると着信履歴制限機能がＯＮに設定されているか否か確認する（Ｓ２００）。その結果、着信履歴制限機能がＯＦＦに設定されていれば処理を終了する。Ｓ２００の結果、着信履歴制限機能がＯＮに設定されていれば着信報知時間の測定を開始し（Ｓ２０１）、応答の有無を監視する（Ｓ２０３）。Ｓ２０３の結果、応答が行われた場合には従来と同様に着信履歴に記憶する（Ｓ２０７）。
応答されなかった場合には、着信報知の終了・継続を監視する（Ｓ２０５）。着信報知が継続している間は、Ｓ２０３とＳ２０５の処理を繰り返す。
【００１２】
無応答のまま着信が中断した場合、着信報知時間の測定を終了する（Ｓ２０９）。次に、中断までの着信報知時間とユーザーによって予め設定された設定時間（着信履歴記録対象とする最低時間）とを比較し（Ｓ２１１）、設定時間未満であった場合には発信者番号が電話機内の電話帳及び／又は発信履歴に記憶されているか否か確認する（Ｓ２１３）。
その結果、電話帳及び／又は発信履歴に記憶されていた場合には、不在着信として着信履歴に記憶する（Ｓ２１５）。一方、電話帳及び／又は発信履歴に記憶されていなかった場合には、着信履歴に記憶しないで処理を終了する。
なお、Ｓ２１１で着信報知時間が設定時間以上であった場合には、通常通り、不在着信として着信履歴に記憶する（Ｓ２１５）。
【００１３】
＜第２の実施の形態＞
図３は本発明の第２の実施の形態である携帯電話機の着呼時の処理フローチャートである。同図に示すように、他者からの着信があると着信履歴制限機能がＯＮに設定されているか否か確認する（Ｓ４００）。その結果、着信履歴制限機能がＯＦＦに設定されていれば処理を終了する。Ｓ４００の結果、着信履歴制限機能がＯＮに設定されていれば着信報知回数のカウントを開始し（Ｓ４０１）、応答の有無を監視する（Ｓ４０３）。Ｓ４０３の結果、応答が行われた場合には従来と同様に着信履歴に記憶する（Ｓ４０７）。
応答されなかった場合には、着信報知の終了・継続を監視する（Ｓ４０５）。着信報知が継続している間は、Ｓ４０３とＳ４０５の処理を繰り返す。
【００１４】
無応答のまま着信が中断した場合、着信報知回数のカウントを終了する（Ｓ４０９）。次に、中断までの着信報知回数とユーザーによって予め設定された設定回数（着信履歴記録対象とする最低回数）とを比較し（Ｓ４１１）、設定回数未満であった場合には発信者番号が電話機内の電話帳及び／又は発信履歴に記憶されているか否か確認する（Ｓ４１３）。
その結果、電話帳及び／又は発信履歴に記憶されていた場合には着信履歴に記憶する（Ｓ４１５）。一方、電話帳及び／又は発信履歴に記憶されていなかった場合には着信履歴に記憶しないで、そのまま処理を終了する。
なお、Ｓ４１１で着信報知回数が設定回数以上であった場合には、通常通り、不在着信として着信履歴に記憶する（Ｓ４１５）。
【００１５】
以上、本発明の実施の形態を詳細に説明したが、本発明はこれに限定されない。
例えば、本実施の形態では、着信報知時間のみ又は着信報知回数のみを測定しているが、着信報知時間と着信報知回数の両方を測定し、双方とも設定時間（回数）以上の場合のみ、着信履歴に記憶するようにしてもよい。
また、着信履歴制限機能のＯＮ／ＯＦＦ切替えもユーザーが任意にできるよう構成することが望ましい。
【００１６】
【発明の効果】
本発明の電話端末によれば、ユーザーが予め設定した着信報知時間又は着信報知回数未満である着信に対しては着信履歴を残さないようにしたことから、ユーザーが特に意識することなく有料ダイヤルへの発呼を制限することができる。
また、本発明の電話端末によれば、着信が前記着信報知時間又は着信報知回数未満であっても電話帳又は着信／発信履歴にある着信である場合には着信履歴に残すようになっているため、知人や知り合いからの電話に対し、確実にかけ直すことができる。
さらに、本発明の電話端末によれば、呼出回数（時間）の最低値をユーザ側で任意に設定できるようにし、今後この手の犯罪が多様化した場合にも対応できる。
【図面の簡単な説明】
【図１】本発明の実施の形態である携帯電話機の機能ブロック図。
【図２】本発明の第１の実施の形態である携帯電話機の着呼時のフローチャート。
【図３】本発明の第２の実施の形態である携帯電話機の着呼時のフローチャート。
【符号の説明】
１０５    制御部
１１３    メモリ
１１５    ＬＣＤ
【図１】
2004336311.tif 000003
【図２】
2004336311.tif 000004
【図３】
2004336311.tif 000005